(57)【要約】      （修正有）【課題】蓄電池システムを正常稼働させるまでの作業を簡略化することができる蓄電池システム、蓄電池監視システム及び蓄電池情報収集方法を提供する。【解決手段】蓄電池システムは、蓄電池に関する蓄電池情報を収集する情報収集部１５と、収集された前記蓄電池情報を所定の通信路を介して監視装置に伝送する通信アダプタ１１と、前記蓄電池情報の全部又は一部の情報と前記監視装置の宛先の情報とを含むコード表示を生成するＱＲコード生成部１６と、前記蓄電池情報が前記監視装置に伝送されない場合に前記コード表示を表示画面に表示させる表示制御部１３と、を具備する。【選択図】図１
2017062619.tif 000002
【特許請求の範囲】
【請求項１】
蓄電池に関する蓄電池情報を収集する情報収集部と；
収集された前記蓄電池情報を所定の通信路を介して監視装置に伝送する通信部と；
前記蓄電池情報の全部又は一部の情報と前記監視装置の宛先の情報とを含むコード表示を生成するコード生成部と；
前記蓄電池情報が前記監視装置に伝送されない場合に前記コード表示を表示画面に表示させる表示制御部と；
を具備する蓄電池システム。
【請求項２】
前記表示制御部は、ユーザの表示操作に基づいて、前記蓄電池情報が前記監視装置に伝送されない場合の表示が制御される
請求項１に記載の蓄電池システム。
【請求項３】
前記表示制御部は、前記通信部のログに基づいて、前記蓄電池情報が前記監視装置に伝送されない場合の表示が制御される
請求項１に記載の蓄電池システム。
【請求項４】
蓄電池に関する蓄電池情報を収集する情報収集部と、
収集された前記蓄電池情報を所定の通信路を介して監視装置に伝送する通信部と、
前記蓄電池情報の全部又は一部の情報と前記監視装置の宛先の情報とを含むコード表示を生成するコード生成部と、
前記蓄電池情報が前記監視装置に伝送されない場合に前記コード表示を表示画面に表示させる表示制御部とを具備する蓄電池システムと；
前記通信部によって伝送された前記蓄電池情報を収集すると共に、前記コード表示に基づくユーザの送信操作に基づいて前記コード表示に含まれる情報を収集する監視装置と；
を具備する蓄電池監視システム。
【請求項５】
情報収集部が、蓄電池に関する蓄電池情報を収集し；
通信部が、収集された前記蓄電池情報を所定の通信路を介して監視装置に伝送し；
コード生成部が、前記蓄電池情報の全部又は一部の情報と前記監視装置の宛先の情報とを含むコード表示を生成し；
表示制御部が、前記蓄電池情報が前記監視装置に伝送されない場合に前記コード表示を表示画面に表示させる；
蓄電池情報収集方法。
【発明の詳細な説明】
【技術分野】
【０００１】
本発明の実施形態は、蓄電池システム、蓄電池監視システム及び蓄電池情報収集方法に関する。
【背景技術】
【０００２】
従来、家庭用の蓄電池システムが商品化されている。蓄電池システムを利用することで、夜間の割安な電力を蓄電して昼間に使用したり、太陽光発電システムにより発電した電力を蓄電して利用したりすることができ、電力を有効に利用することができる。
【０００３】
このような蓄電池システムにおいては、エラー発生した際に正常稼働させるために、担当者による訪問作業を依頼する等の煩雑な作業が必要であることもある。
【先行技術文献】
【特許文献】
【０００４】
【特許文献１】特開２０１５−１６３０２５号公報
【発明の概要】
【発明が解決しようとする課題】
【０００５】
本発明の実施形態は、蓄電池システムを正常稼働させるまでの作業を簡略化することができる蓄電池システム、蓄電池監視システム及び蓄電池情報収集方法を提供することを目的とする。
【課題を解決するための手段】
【０００６】
実施形態に係る蓄電池システムは、蓄電池に関する蓄電池情報を収集する情報収集部と；収集された前記蓄電池情報を所定の通信路を介して監視装置に伝送する通信部と；前記蓄電池情報の全部又は一部の情報と前記監視装置の宛先の情報とを含むコード表示を生成するコード生成部と；前記蓄電池情報が前記監視装置に伝送されない場合に前記コード表示を表示画面に表示させる表示制御部と；を具備する。
【発明の効果】
【０００７】
本発明の実施形態によれば、蓄電池システムを正常稼働させるまでの作業を簡略化することができるという効果を有する。
【図面の簡単な説明】
【０００８】
【図１】本発明の第１の実施の形態に係る蓄電池システムが組み込まれた蓄電池監視システムを示すブロック図。
【図２】監視装置の動作を説明するためのフローチャート。
【図３】蓄電池システムにおける情報転送処理を説明するためのフローチャート。
【図４】本発明の第２の実施の形態に係る蓄電池システムにおいて採用される動作フローを示すフローチャート。
【図５】本発明の変形例を示すブロック図。
【図６】図５の変形例における制御部５２の通知可否の判定フローを示すフローチャート。
【発明を実施するための最良の形態】
【０００９】
実施形態に係る蓄電池システムは、蓄電池に関する蓄電池情報を収集する情報収集部と；収集された前記蓄電池情報を所定の通信路を介して監視装置に伝送する通信部と；前記蓄電池情報の全部又は一部の情報と前記監視装置の宛先の情報とを含むコード表示を生成するコード生成部と；前記蓄電池情報が前記監視装置に伝送されない場合に前記コード表示を表示画面に表示させる表示制御部と；を具備する。
【００１０】
また、前記表示制御部は、ユーザの表示操作に基づいて、前記蓄電池情報が前記監視装置に伝送されない場合の表示が制御される。
【００１１】
また、前記表示制御部は、前記通信部のログに基づいて、前記蓄電池情報が前記監視装置に伝送されない場合の表示が制御される。
【００１２】
また、実施形態に係る蓄電池監視システムは、蓄電池に関する蓄電池情報を収集する情報収集部と、収集された前記蓄電池情報を所定の通信路を介して監視装置に伝送する通信部と、前記蓄電池情報の全部又は一部の情報と前記監視装置の宛先の情報とを含むコード表示を生成するコード生成部と、前記蓄電池情報が前記監視装置に伝送されない場合に前記コード表示を表示画面に表示させる表示制御部とを具備する蓄電池システムと；前記通信部によって伝送された前記蓄電池情報を収集すると共に、前記コード表示に基づくユーザの送信操作に基づいて前記コード表示に含まれる情報を収集する監視装置と；を具備する。
【００１３】
また、実施形態に係る蓄電池情報収集方法は、情報収集部が、蓄電池に関する蓄電池情報を収集し；通信部が、収集された前記蓄電池情報を所定の通信路を介して監視装置に伝送し；コード生成部が、前記蓄電池情報の全部又は一部の情報と前記監視装置の宛先の情報とを含むコード表示を生成し；表示制御部が、前記蓄電池情報が前記監視装置に伝送されない場合に前記コード表示を表示画面に表示させる。
（第１の実施の形態）
以下、図面を参照して本発明の実施の形態について詳細に説明する。
【００１４】
図１は本発明の第１の実施の形態に係る蓄電池システムが組み込まれた蓄電池監視システムを示すブロック図である。
【００１５】
図１において、蓄電池２０は、例えば住宅内に配置されて、図示しない分電盤等からの電力が与えられて蓄電を行うと共に、蓄積した電力を負荷側の電路に供給することができるようになっている。コントローラ１０は、蓄電制御部１７を有しており、蓄電制御部１７は、蓄電池２０の充電及び放電を制御することができるようになっている。
【００１６】
コントローラ１０は、制御部１２を有している。制御部１２は、図示しないＣＰＵ等のプロセッサによって構成してもよく、図示しないメモリに記憶されたプログラムに従って動作するものであってもよい。制御部１２は、コントローラ１０内の各部を制御することができるようになっている。
【００１７】
情報収集部１５は、制御部１２に制御されて、蓄電池２０に関する各種情報、例えば、稼働状況、充電量、放電量、蓄電残量（ＳＯＣ）情報、エラー情報等（以下、蓄電池情報という）を収集することができるようになっている。情報収集部１５は、例えば、所定の時間毎に情報の収集を行う。情報収集部１５は、制御部１２に制御されて、収集した蓄電池情報を記憶部１４に記憶させることができるようになっている。なお、情報収集部１５は、蓄電池情報のうちエラー情報については、エラーの発生毎に随時取得するようになっていてもよい。
【００１８】
通信アダプタ１１は、所定の通信路を介した情報の送受信が可能である。図１の例では、通信アダプタ１１はルータ４０を介してインターネット等のネットワーク６０に接続して情報を送受信することができる。これにより、制御部１２は、記憶部１４に記憶されている蓄電池情報の全て又は一部を通信アダプタ１１により、ルータ４０を介してネットワーク６０上の所定の通信相手に送信することができるようになっている。通信アダプタ１１は、宛先の情報が設定可能であり、通信相手として、監視装置５０が設定されていてもよい。
【００１９】
監視装置５０は、ネットワーク６０にアクセス可能であり、コントローラ１０から伝送されたデータを受信することができるようになっている。監視装置５０のサーバ５１は、コントローラ１０から伝送されたデータを蓄積することができる。ネットワーク６０には、図１と同様の構成を有する複数の蓄電池システムが接続可能であり、これらの蓄電池システムから各システムに設けられた蓄電池に関する蓄電池情報がアップロードされるようになっている。サーバ５１は、ネットワーク６０を介して伝送される蓄電池情報を、対応する蓄電池システムのＩＤ情報（例えば製造番号の情報）と、当該ＩＤ情報に対応する連絡先の情報と共に管理して記憶するようになっている。
【００２０】
監視装置５０は、制御部５２を有している。制御部５２は、図示しないＣＰＵ等のプロセッサによって構成してもよく、図示しないメモリに記憶されたプログラムに従って動作するものであってもよい。制御部５２は、監視装置５０内の各部を制御することができるようになっている。
【００２１】
制御部５２は、サーバ５１に転送された各蓄電池システムの蓄電池情報を監視することで、各蓄電池システムの状況等を把握することができるようになっている。また、制御部５２は、サーバ５１に保存されるべき蓄電池情報が保存されているか否か、即ち、蓄電池情報が所定の時間までにサーバ５１に収集されたか未収集であるかを検出することができるようになっている。通知部５３は、制御部５２に制御されて、蓄電池情報が所定の時間を過ぎても未収集である場合には、当該蓄電池情報に対応する連絡先に対して、当該蓄電池システムのＩＤ情報と共に、保存されるべき蓄電池情報が未収集であり保存されていないことを示すメッセージを通知するようになっている。
【００２２】
例えば、制御部５２は、保存されている蓄電池情報の内容や収集の履歴に基づいて、伝送されるべき時間までに蓄電池情報が伝送されて蓄積されていないことにより、所定の時間を過ぎても未収集であることを判定してもよい。また、通知部５３は、所定の時間を過ぎても未収集であることを示すメッセージを、当該蓄電池システムの担当者の端末に対して電子メール等により通知を行ってもよい。
【００２３】
一般的には、電子メール等により蓄電池情報の未収集の通知を受けた担当者は、当該蓄電池システムの販売者を介して又は直接、当該蓄電池システムを所有するユーザに蓄電池情報が未収集であることを、電話や電子メール等を利用して連絡するようになっている。
【００２４】
従来、このような連絡を受けたユーザは、当該蓄電池システムを正常稼働させるために、比較的煩雑な多くの作業を必要とした。これに対し、本実施の形態においては、ユーザの作業を簡単にするために、コントローラ１０は、コード生成部としてのＱＲコード生成部１６を備えている。
【００２５】
ＱＲコード生成部１６は、制御部１２に制御されて、記憶部１４に記憶されている蓄電池情報、通信アダプタ１１に設定されている通信先の情報及び蓄電池システムのＩＤ情報に基づいて、スマートフォンや携帯電話等の一般的な端末装置によって簡単に読み取り及び利用が可能なコード、例えば、ＱＲコード（登録商標）を生成するようになっている。なお、ＱＲコード生成部１６は、一般的な端末装置による利用が容易であれば、ＱＲコード（登録商標）に限らず、他の方式のマトリックス型２次元コードや１次元のバーコードを生成するようになっていてもよい。また、ＱＲコード生成部１６は、蓄電池情報の全部の情報に基づいてＱＲコード（登録商標）を生成するだけでなく、蓄電池情報のうちの一部の情報、例えばエラー情報に基づいてＱＲコード（登録商標）を生成してもよい。更に、ＱＲコード生成部１６は、通信先の情報を省略して、蓄電池システムのＩＤ情報及び蓄電池情報に基づくＱＲコード（登録商標）を生成してもよい。
【００２６】
ＱＲコード生成部１６が生成したＱＲコード（登録商標）は、表示制御部１３に供給される。表示制御部１３は、制御部１２に制御されて、ＱＲコード表示を表示部３０の表示画面上に表示させるようになっている。例えば、制御部１２は、コントローラ１０に設けられた入力部１８に対するユーザ操作に基づくタイミングで、ＱＲコード表示を表示させるように制御してもよい。
【００２７】
この場合には、例えば、ユーザは、蓄電池情報が未収集であることの連絡を受けると、入力部１８の操作を行ってＱＲコード表示を表示させる。ＱＲコード表示には、例えば、送信すべき蓄電池情報及び通信相手の情報が含まれている。ユーザは、例えば、スマートフォン等の端末により、ＱＲコード表示の読み取りを行い、ＩＤ情報、蓄電池情報及び通信相手の情報をスマートフォンに取り込む。一般的なスマートフォンのアプリケーションとしては、ＱＲコード表示の読み取りにより、ＱＲコード（登録商標）によって指定された通信相手に、ＱＲコード（登録商標）によって指定された情報を伝送する機能がある。この場合には、ユーザがＱＲコード表示の読み取りを行うことで、通信相手に対してＩＤ情報及び蓄電池情報の送信が可能である。なお、一般的には、この種のアプリケーションでは、ＱＲコード表示の読み取りを行うことで通信相手のＵＲＬ等に接続され、通信相手に対して情報を送信してもよいか否かを問い合わせるメッセージが表示されることが多く、ユーザが、送信を許可する操作を行うことで、ＩＤ情報及び蓄電池情報はスマートフォン等から、公衆無線回線や電話回線等の所定の伝送路を介して、監視装置５０に伝送されるようになっている。
【００２８】
次に、このように構成された実施の形態の動作について図２及び図３を参照して説明する。図２は監視装置の動作を説明するためのフローチャートであり、図３は蓄電池システムにおける情報転送処理を説明するためのフローチャートである。
【００２９】
蓄電池システムにおいては、コントローラ１０の蓄電制御部１７によって、蓄電池２０の充放電が制御される。制御部１２は、ステップＳ１１において、情報収集部１５を制御して、蓄電池２０に関する蓄電池情報を収集させる。情報収集部１５は、例えば、稼働状況、充電量、放電量、蓄電残量（ＳＯＣ）情報、エラー情報等の蓄電池情報を、所定の時間間隔で取得して記憶部１４に与えて記憶させる。
【００３０】
制御部１２は、ステップＳ１２において、現在時刻が設定されている送信時間に到達したか否かを判定する。送信時間に到達すると、制御部１２はステップＳ１３においてサーバ送信制御を行う。即ち、制御部１２は、記憶部１４から送信すべき蓄電池情報を読み出して通信アダプタ１１に与える。通信アダプタ１１には、監視装置５０を通信相手とする情報が設定されており、通信アダプタ１１は記憶部１４から読出された蓄電池情報を監視装置５０に送信する。
【００３１】
こうして、図１の蓄電池システムにおいては、例えば、３０分毎に収集された蓄電池情報が１日に１回、監視装置５０に送信される。制御部１２は、ステップＳ１４においてＱＲコード表示のための操作が行われたか否かを判定する。この操作が行われるまでは、ステップＳ１１〜Ｓ１３において、蓄電池情報の収集及び送信動作が繰り返される。
【００３２】
蓄電池システムの通信アダプタ１１からの蓄電池情報は、ルータ４０からネットワーク６０に送信され、ネットワーク６０に接続された監視装置５０に供給される。監視装置５０の制御部５２は、受信した蓄電池情報を該当する蓄電池システムのＩＤ情報及び担当者の情報と共にサーバ５１に記憶させる。
【００３３】
監視装置５０の制御部５２は、ステップＳ１において逐次記憶される蓄電池情報を各蓄電池システム毎に監視する。制御部５２は、ステップＳ２において、各蓄電池システム毎に蓄電池情報が正常に収集されているか否かを判定する。制御部５２は、サーバ５１に蓄積される蓄電池情報の内容及び蓄電池情報の蓄積の履歴を監視することで、蓄電池情報が正常に収集されているか否かを判定することができる。制御部５２は蓄電池情報が正常に収集されていないと判定した場合には、通知部５３を制御して、その旨を示す通知を担当者に発する（ステップＳ３）。
【００３４】
例えば、通知部５３は、蓄電池情報が正常に収集されていないと判定された蓄電池システムの担当者に対して、電子メール等によってこの通知を行う。担当者は蓄電池情報が未収集の状態である蓄電池システムのユーザに対して、直接又は販売店経由で、蓄電池情報が正常に収集されていないことを連絡する（ステップＳ４）。この連絡は電話回線やインターネットを経由して、通話又は電子メール等によって行われる。
【００３５】
このような連絡を受けたユーザは、当該蓄電池システムを正常稼働させるために、例えば入力部１８により、ＱＲコード（登録商標）を表示させるための表示操作を行う。制御部１２は、ステップＳ１４において、入力部１８によって表示操作が行われたか否かを監視している。ユーザによるこの表示操作が行われると、制御部１２はＱＲコード生成部１６を制御して、ＱＲコード（登録商標）を生成させる。
【００３６】
即ち、ＱＲコード生成部１６は、記憶部１４に記憶されている蓄電池情報を読出すと共に、通信アダプタ１１に設定されている通信先の情報を取得し、これらの蓄電池情報及び通信先情報並びに蓄電池システムのＩＤ情報に基づくＱＲコード（登録商標）を生成する（ステップＳ１５）。ＱＲコード生成部１６は、生成したＱＲコード（登録商標）を表示制御部１３に出力する。表示制御部１３は、制御部１２に制御されて、ＱＲコード生成部１６からのＱＲコード（登録商標）に基づくＱＲコード表示を表示部３０の表示画面上に表示させる（ステップＳ１６）。
【００３７】
こうして、ユーザは、例えば入力部１８に設けられたＱＲコード表示用の操作ボタンを押す等の極めて簡単な操作によって、ＩＤ情報、蓄電池情報及び通信先情報を含むＱＲコード表示を表示させることができる。一般ユーザは、ＱＲコード表示からは転送される情報及び転送先を把握することができないことから、表示画面上の表示を見て次の操作に悩むことはない。ユーザはＱＲコード（登録商標）を利用できる端末装置を操作してＱＲコード（登録商標）を読み取るという単純な作業を行えばよい。
【００３８】
例えば、ユーザは、スマートフォン等の端末により、ＱＲコード表示の読み取りを行い、ＩＤ情報、蓄電池情報及び通信相手の情報をスマートフォンに取り込んで、必要ならばスマートフォンのタッチパネル上で送信ボタンをタッチする等の簡単な送信操作を行う。
【００３９】
これにより、スマートフォンは、指定された通信相手である監視装置５０に対して、ＩＤ情報及び蓄電池情報を送信する。こうして、スマートフォンからは、公衆無線回線や電話回線等の所定の伝送路を介して、監視装置５０に蓄電池情報が伝送される。
【００４０】
このように本実施の形態においては、蓄電池情報が未収集の状態である場合には、ユーザは入力部を操作してＱＲコード（登録商標）を表示させ、表示されたＱＲコード表示をスマートフォン等の端末によって読み込んで送信操作を行うという極めて簡単な操作によって、蓄電池情報を監視装置に転送することができる。このように、蓄電池システムを正常稼働させるまでの作業を著しく簡略化することができる。
【００４１】
なお、図３では、表示操作の後にＱＲコード（登録商標）を生成して表示する例を示したが、送信する蓄電池情報の生成後にＱＲコード（登録商標）を生成しておき、表示操作によってＱＲコード表示を表示させるようにしてもよい。
（第２の実施の形態）
図４は本発明の第２の実施の形態に係る蓄電池システムにおいて採用される動作フローを示すフローチャートである。本実施の形態のハードウェア構成は第１の実施の形態と同様である。
【００４２】
第１の実施の形態においては、蓄電池システムは、ユーザが表示操作を行うことでＱＲコード表示を表示した。これに対し、本実施の形態は、監視装置において蓄電池情報が未収集であることを蓄電池システムが判定することで、自動的にＱＲコード表示を表示させるようにしたものである。
【００４３】
通信アダプタ１１は、一般的に通信ログを保持する機能を有している。例えば、通信アダプタ１１の通信ログは記憶部１４に記憶される。制御部１２は、ステップＳ２１において、蓄電池情報の送信時間の経過後に、通信アダプタ１１の通信ログを取得して通信の確認を行うようになっている。
【００４４】
制御部１２は取得した通信ログによって、蓄電池情報が正常に送信されたか否かを判定する。制御部１２は蓄電池情報が正常に送信されたものと判定した場合には、処理をステップＳ１１に戻す。制御部１２は蓄電池情報が正常に送信されなかったものと判定した場合には、処理をステップＳ１５に移行して、ＱＲコード（登録商標）を生成する。
【００４５】
このように構成された実施の形態においては、ＱＲコード（登録商標）は、ユーザ操作によらず、制御部１２の判定によって表示されるか否かが決定する。制御部１２は、通信アダプタ１１の通信ログを確認することで蓄電池情報が正常に送信されたか否かを判定しており、蓄電池情報が正常に送信されていない場合には、ＱＲコード表示が表示部３０に表示されることになる。
【００４６】
こうして、本実施の形態においても、ユーザは、所定の端末によりＱＲコード表示の読み取りを行い、蓄電池情報及び通信相手の情報を端末に取り込んで蓄電池情報を通信相手に送信するという、極めて簡単な操作で、蓄電池情報を監視装置に転送することができる。
【００４７】
なお、制御部１２は、ＱＲコード表示を表示させる場合には、警告音や警告ランプの点灯等によって、蓄電池情報が正常に送信されていないこと及び蓄電池情報を簡単に送信するためのＱＲコード表示を表示させることをユーザに知らせるようにしてもよい。
【００４８】
このように本実施の形態においても、第１の実施の形態と同様の効果を得ることができる。更に、本実施の形態においては、ユーザ操作を必要とすることなく、ＱＲコード（登録商標）を表示させることが可能である。即ち、第１の実施の形態においては、監視装置の通知部の通知を受けた担当者がユーザに連絡し、この連絡を受けたユーザの操作によってＱＲコード（登録商標）を表示させる必要があった。これに対し、本実施の形態においては、監視装置からの通知に従って担当者が連絡を行うことなく、蓄電池情報の送信時間の後に自動的に蓄電池情報が送信されていないことが判定されてＱＲコード（登録商標）が表示されるようになっており、蓄電池情報の未収集の発生後の極めて短時間に、蓄電池情報を送信するための作業が行われることになる。しかも、ユーザはＱＲコード（登録商標）を用いた送信操作のみを行えばよく、蓄電池システムを正常稼働させるまでの作業を更に一層簡略化することができる。
【００４９】
なお、図４の例では、蓄電池情報の送信不可判定の後にＱＲコード（登録商標）を生成して表示する例を説明したが、送信する蓄電池情報の生成後にＱＲコード（登録商標）を生成しておき、蓄電池情報の送信不可判定によってＱＲコード表示を表示させるようにしてもよい。
（変形例）
図５は本発明の変形例を示すブロック図である。図５において図１と同一の構成要素には同一符号を付して説明を省略する。
【００５０】
宅内に設置される蓄電池システムの場合には、住人の長期不在等の理由から、コントローラ１０に電源が供給されないことがある。例えば、旅行等において住人が長期不在の場合には、宅内の主電源がオフにされることもある。この場合には、通信アダプタ１１、ルータ４０、ネットワーク６０等に不具合が生じていない場合でも、蓄電池情報は送信されず監視装置５０には収集されない。本変形例は、このような場合において当該蓄電池システムの担当者への通知を行わないようにしたものである。
【００５１】
宅内には、電力会社とのネットワーク通信機能を備えた電力メータであるスマートメータ（図示省略）が配設されている。電力会社のデータ管理システムであるＭＤＭＳ（Meter Data Management System）（図示省略）は、スマートメータからデータを収集することができるようになっている。ＭＤＭＳは、Ｃルートと呼ばれる伝送路を介して、収集したデータを蓄電池システム情報として電力小売業者等のサービス事業者に送信することができるようになっている。
【００５２】
図５の変形例では、このＣルートからの蓄電池システム情報が監視装置５０に与えられるようになっている。監視装置５０の制御部５２は、蓄電池システム情報によって、当該蓄電池システムの電力消費の変化等により、当該蓄電池システムを備えた宅内に住む住人が留守である場合のように、例えば主電源がオフにされていたり、電力消費量が著しく低下していることを判定することができる。制御部５２は、通知部５３から担当者に蓄電池情報の未収集の通知を発生させるか否かの判断に、蓄電池システム情報を用いた判定を行うようになっている。
【００５３】
図６は図５の変形例における制御部５２の通知可否の判定フローを示すフローチャートである。図６において図２と同一の手順には同一符号を付して説明を省略する。
【００５４】
監視装置５０の制御部５２は、ステップＳ２において蓄電池情報が正常に収集されていないものと判定した場合には、ステップＳ３１において、Ｃルートを介して蓄電池システム情報を取得する。制御部５２は、取得した蓄電池システム情報に基づいて、当該蓄電池システムの宅内の該当する電源がオフになっているか否かを判定する（ステップＳ３２）。
【００５５】
例えば、制御部５２は、蓄電池システムを備えた宅内に住む住人が留守である場合のように、電力消費量が著しく低下している場合等においては、宅内の該当する電源がオフにされているものと判定することができる。制御部５２は、当該蓄電池システムの宅内の該当する電源がオフの場合には、通信アダプタ１１、ルータ４０及びネットワーク６０等に故障等が発生していない場合でも、蓄電池情報は正常には収集されないので、担当者への通知は行わない。また、制御部５２は、宅内の該当する電源がオフでないと判定した場合には、蓄電池情報が正常に収集されていなければ、通知部５３を制御して担当者にその旨を通知させる（ステップＳ３）。
【００５６】
このように本変形例においては、Ｃルートからの情報を利用するとこで、監視装置は通信の不具合により蓄電池情報が正常に収集できない場合を確実に判定して、担当者に的確なメッセージを通知することができる。
【００５７】
なお、図５ではＣルートを介して蓄電池システム情報を取得する例を説明したが、分電盤内の電力計測によって宅内の電力情報が収集可能なホームゲートウェイが取得した情報をインターネット回線等を利用して監視装置に取り込むようにしてもよい。この場合においても、ホームゲートウェイからの情報を監視装置において利用することで、通信の不具合により蓄電池情報が正常に収集できない場合を確実に判定して、担当者に的確なメッセージを通知することができる。
【００５８】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５９】
１０…コントローラ、１１…通信アダプタ、１２…制御部、１３…表示制御部、１４…記憶部、１５…情報収集部、１６…ＱＲコード、１７…蓄電制御部、１８…入力部、４０…ルータ、５０…監視装置、５１…サーバ、５２…制御装置、５３…通知部。
【図１】
2017062619.tif 000003
【図２】
2017062619.tif 000004
【図３】
2017062619.tif 000005
【図４】
2017062619.tif 000006
【図５】
2017062619.tif 000007
【図６】
2017062619.tif 000008